(57)【特許請求の範囲】
【請求項１】
同軸型のコネクタと、短辺と長辺とを備えた側板を有する直方体のシールドケースとを備え、前記コネクタをその軸方向が前記側板の面に垂直となる状態で前記側板に取り付け、前記コネクタの断面形状を短径と長径とを有する小判型もしくは楕円形に形成し、前記コネクタの短径方向と前記側板の前記短辺方向とを平行にし、前記側板の短辺の長さと前記コネクタの短径とを等しくしたことを特徴とする高周波電子機器。
【請求項２】
前記シールドケース内には所定の公称インピーダンスを有するフィルタを設け、前記コネクタの中心導体と前記フィルタとをインダクタで接続したことを特徴とする請求項１記載の高周波電子機器。
【発明の詳細な説明】
【０００１】
【発明の属する技術分野】
本発明は、テレビジョンチューナ等の高周波電子機器に関する。
【０００２】
【従来の技術】
従来の高周波電子機器を図４および図５を用いて説明する。ここで、図４は従来の高周波電子機器の斜視図、図５は従来の高周波電子機器の回路構成を示す説明図である。
従来の高周波電子機器は、図４に示すように、高周波回路を内包したシールドケース２１の一側面２１ａに同軸型のコネクタ２２が取り付けられており、図示しない同軸ケーブルからコネクタ２２に信号が入力される。シールドケース１内には、図５に示すように、ハイパスフィルタとローパスフィルタとからなるバンドパスフィルタ２３、第一の混合器２４、第二の混合器２５、第一の局部発振器２６、第二の局部発振器２７等の高周波回路が設けられている。そして、第一の混合器２４と第二の混合器２５とによって二回の周波数変換がされて、中間周波信号が第二の混合器２５から出力される。
【０００３】
そして、シールドケース２１内に設けられる各高周波回路は、通常７５Ω（オーム）、または、５０Ωでインピーダンス整合するように設計されており、このため、コネクタ２２も、特性インピーダンスが７５Ω（オーム）または、５０Ωとなるように設定されている。そして、コネクタ２２の中心導体２２ａとバンドパスフィルタとを直接接続して、コネクタ２２とバンドパスフィルタ２３とをインピーダンス整合させて、コネクタ２２に入力された信号をバンドパスフィルタ２３に入力するようにしている。
【０００４】
また、コネクタ２２に接続する同軸ケーブルの径（太さ）は、伝送損失を少なくする必要があるため、所定の径を有するように設定されている。そのため、コネクタの径も、同軸ケーブルの径に対応したものが使用される。
【０００５】
【発明が解決しようとする課題】
上記の従来の高周波電子機器では、コネクタ２２が取り付けられているシールドケース２１の側面２１ａの高さＴは、コネクタ２２の径よりも低くすることができない。そのため、パーソナルコンピュータに装着して使用されるテレビジョンチューナ等の高周波電子機器を薄型化することができなかった。
また、薄型化を図るためには、径の小さな同軸型のコネクタを用いることが考えられるが、そのようにすると、径の小さな（細い）同軸ケーブルを使用することになり、受信信号の伝送損失を大きくしてしまう。また、径の大きな同軸ケーブルを使用すれば、コネクタ２２と同軸ケーブルとの接続のために、さらに、別のコネクタが必要となり、高周波電子機器の価格を高めることになる。
そこで、本発明の高周波電子機器は、性能劣化と製品価格の上昇とを来すことなく、薄型化を実現するものである。
【０００６】
【課題を解決するための手段】
上記の課題を解決する手段として、本発明の高周波電子機器は、同軸型のコネクタと、短辺と長辺とを備えた側板を有する直方体のシールドケースとを備え、前記コネクタをその軸方向が前記側板の面に垂直となる状態で前記側板に取り付け、前記コネクタの断面形状を短径と長径とを有する小判型もしくは楕円形に形成し、前記コネクタの短径方向と前記側板の前記短辺方向とを平行にし、前記側板の短辺の長さと前記コネクタの短径とを等しくした。
【０００７】
また、本発明の高周波電子機器は、前記シールドケース内には所定の公称インピーダンスを有するフィルタを設け、前記コネクタの中心導体と前記フィルタとをインダクタで接続した。
【０００８】
【発明の実施の形態】
本発明の高周波電子機器を図１乃至図３を用いて説明する。ここで、図１は本発明の高周波電子機器の斜視図、図２は本発明の高周波電子機器の回路構成を示す説明図、図３は、本発名の高周波電子機器に使用するコネクタの断面形状を示す説明図である。
本発明の高周波電子機器は、図１に示すように、高周波回路を内包したシールドケース１の側板１ａに同軸型のコネクタ２が、その軸方向が側板１ａの面に垂直となる状態で取り付けられて構成されている。シールドケース１は直方体をなし、その側板１ａは短辺Ｌ１と長辺Ｌ２とを有して矩形状となっている。
一方、コネクタ２は、図３に示すように、内導体２ａと、外導体２ｂと、内導体２ａと外導体２ｂとの間に設けられた絶縁体２ｃとを有し、その断面形状が、短径Ｄ１と長径Ｄ２とを有する小判型または楕円形となっている。
そして、コネクタの短径Ｄ１の方向とシールドケース１にける側板１ａの短辺Ｌ１の方向とを平行させた状態で、コネクタ２が側板１ａに取り付けられている。（図１および図３では、短径Ｄ１と短辺Ｌ１とを等しくしている。）
そして、所定の径（太さ）を有する同軸ケーブル（図示せず）からコネクタ２に信号が入力される。
【０００９】
シールドケース１内には、図２に示すように、ハイパスフィルタとローパスフィルタとからなるバンドパスフィルタ３、第一の混合器４、第二の混合器５、第一の局部発振器６、第二の局部発振器７等の高周波回路が設けられている。そして、第一の混合器４と第二の混合器５とによって二回の周波数変換がされて、中間周波信号が第二の混合器５から出力される。
そして、コネクタ２の中心導体２ａは、インダクタ８を介してバンドパスフィルタ３に接続される。
また、シールドケース１内に設けられる各高周波回路、例えば、バンドパスフィルタ３等は、通常７５Ω（オーム）、または、５０Ωでインピーダンス整合するように設計されている。
【００１０】
ところで、コネクタ２は、その断面形状が小判型あるいは楕円形となっているため、中心導体２ａと外導体２ｂとの間隔が短径方向で狭くなり、内導体２ａと外導体２Ｂとの間の靜電容量が増加する。その結果、長径Ｄ２と同じ外径を有する従来の円形のコネクタ２２の特性インピーダンスと比較すると、コネクタ２の特性インピーダンスは低くなる。
そこで、コネクタ２の中心導体２ａとバンドパスフィルタ３とを、インダクタ８で直列に接続し、インダクタ８を含めたコネクタ２側のインピーダンスを高め、バンドパスフィルタ３とのインピーダンス整合を得るようにしている。
【００１１】
そして、本発明の高周波電子機器では、コネクタ２の断面形状を小判型あるいは楕円形としても、長径Ｄ２と同じ径を有する円形の従来の同軸型のコネクタ用として使用される同軸ケーブルを使用できるので、伝送損失による性能低下が無く、しかも、薄型の高周波電子機器が構成できる。
また、コネクタ２の短径とシールドケース１における側板１ａの短辺Ｌ１の長さとを同じ長さにすることによってシールドケース１の厚さを最小とすることができる。
【００１２】
【発明の効果】
以上のように、本発明の高周波電子機器は、同軸型のコネクタと、短辺と長辺とを備えた側板を有する直方体のシールドケースとを備え、コネクタをその軸方向が側板の面に垂直となる状態で側板に取り付け、コネクタの断面形状を短径と長径とを有する小判型もしくは楕円形に形成し、コネクタの短径方向と側面の短辺方向とを平行にし、側板の短辺の長さとコネクタの短径とを等しくしたので、長径と同じ径を有する円形の従来の同軸型のコネクタ用として使用される同軸ケーブルを使用できるので、伝送損失による性能低下が無く、しかも、薄型の高周波電子機器が構成できる。
【００１３】
また、本発明の高周波電子機器は、シールドケース内には所定の公称インピーダンスを有するフィルタを設け、コネクタの中心導体とフィルタとをインダクタで接続したので、コネクタの特性インピーダンスが、長径と同じ外径を有する従来の円形のコネクタの特性インピーダンスよりも低くなっても、フィルタとの間でインピーダンスの整合が得られる。
【図面の簡単な説明】
【図１】本発明の高周波電子機器の斜視図である。
【図２】本発明の高周波電子機器の回路構成を示す説明図である。
【図３】本発明の高周波電子機器に使用するコネクタの断面形状を示す説明図である。
【図４】従来の高周波電子機器の斜視図である。
【図５】従来の高周波電子機器の回路構成を示す説明図である。
【符号の説明】
１  シールドケース
２  コネクタ
２ａ  中心導体
２ｂ  外導体
２ｃ  絶縁体
３  バンドパスフィルタ
４  第一の混合器
５  第二の混合器
６  第一の局部発振器
７  第二の局部発振器
８  インダクタ
【図１】
0003649584.tif 000002
【図２】
0003649584.tif 000003
【図３】
0003649584.tif 000004
【図４】
0003649584.tif 000005
【図５】
0003649584.tif 000006